(57)【要約】      （修正有）【課題】電波の受信状況によって、視聴することのできない番組は選択肢から外し、現在視聴できる番組のみユーザーに知らせる。【解決手段】テレビジョン受信装置の映像表示部には、電子番組表が表示されている。この電子番組表においては、横軸がチャネル軸、縦軸が時間軸となっている。チャネル軸１５１と時間軸１５３とにより画定される領域（以下、「番組セル」と称する。）に、番組名などの番組情報が表示されている。ユーザーは、この番組表を見ながら、リモコン装置などの方向キーで所望の番組を選択し、決定キーを押すなどの操作をすることで、番組の視聴、視聴予約、録画予約などが可能である。放送局の電波強度が視聴不可能であると判定されるとき、視聴不可能放送局として反映されている（放送局がデジタル放送を視聴できると判定した放送局の番組の表示と識別可能な態様で表示されている）。【選択図】図５
2011071725.tif 000002
【特許請求の範囲】
【請求項１】
デジタル放送の受信強度を測定する受信強度測定部と
前記受信強度測定部で測定した結果から、デジタル放送を視聴できるか否かを判定する判定部と、
前記判定部が、デジタル放送を視聴できないと判定した放送局の番組の表示を、前記判定部が、デジタル放送を視聴できると判定した放送局の番組の表示と識別可能な態様とする制御を行う表示制御部と
を有することを特徴としたテレビジョン放送受信装置。
【請求項２】
時間軸と放送局軸とを有し、前記時間軸と放送局軸とによって画定される番組セルに番組情報を表示させたＥＰＧの表示制御を行う表示制御部と、
デジタル放送の受信強度を測定する受信強度測定部と
前記受信強度測定部で測定した結果から、デジタル放送を視聴できるか否かを判定する判定部と、を有し、
前記表示制御部は、前記判定部が、デジタル放送を視聴できないと判定した放送局の番組セルの表示を、前記判定部が、デジタル放送を視聴できると判定した放送局の番組セルと識別可能な態様とする制御を行うことを特徴としたテレビジョン放送受信装置。
【請求項３】
前記識別可能な態様とする制御は、受信可能と判定された放送局の番組セルのみを表示することを特徴とする請求項１又は２に記載のテレビジョン放送受信装置。
【請求項４】
前記表示制御部は、前記判定部が、デジタル放送を視聴できないと判定した場合に、
該当する放送局の番組情報を表示しない制御を行うことを特徴とする請求項１又は２に記載のテレビジョン放送受信装置。
【請求項５】
前記表示制御部は、前記判定部が、デジタル放送を視聴できないと判定した場合に、
該当する放送局の番組情報を表示した上で、視聴できないことを明示する表示を行うことを特徴とする請求項１又は２に記載のテレビジョン放送受信装置。
【請求項６】
前記視聴できないことを明示する表示を、前記放送局の番組情報を表示の上から表示させることを特徴とする請求項５に記載のテレビジョン放送受信装置。
【請求項７】
前記番組情報を表示させつつ、前記視聴できない放送局の番組セル内の全領域を視覚的に認識可能な態様で塗りつぶすことを特徴とする請求項４又は５に記載のテレビジョン放送受信装置。
【請求項８】
前記視覚的に認識可能な態様で塗りつぶす表示は、グレーアウト表示であることを特徴とする請求項７に記載のテレビジョン放送受信装置。
【請求項９】
前記表示制御部は、前記視聴できない放送局の番組が選択された場合に、前記ＥＰＧ上にその旨を表すコメント表示を行うことを特徴とする請求項４から７までのいずれか１項に記載のテレビジョン放送受信装置。
【請求項１０】
前記判定部が、視聴できると判定した放送局名のみを並べて前記ＥＰＧ画面に表示することを特徴とする請求項１から９までのいずれか１項に記載のテレビジョン放送受信装置。
【請求項１１】
前記判定部が、視聴できないと判定した放送局名のみを並べて前記ＥＰＧ画面に表示することを特徴とする請求項１から９までのいずれか１項に記載のテレビジョン放送受信装置。
【請求項１２】
請求項１から１１までのいずれか１項に記載のテレビジョン放送受信装置を備えた移動端末。
【請求項１３】
デジタル放送の受信強度を測定する受信強度測定ステップと、
前記受信強度測定ステップで測定した結果から、デジタル放送を視聴できるか否かを判定する判定ステップと、
前記判定ステップにおいてデジタル放送を視聴できないと判定された放送局の番組の表示を、前記判定ステップにおいてデジタル放送を視聴できると判定した放送局の番組の表示と識別可能な態様とする制御を行う表示制御ステップと
を有することを特徴とするテレビジョン放送受信装置の表示制御方法。
【請求項１４】
時間軸と放送局軸とを有し、前記時間軸と放送局軸とによって画定される番組セルに番組情報を表示させたＥＰＧの表示制御を行う表示制御方法であって、
デジタル放送の受信強度を測定する受信強度測定ステップと
前記受信強度測定ステップで測定した結果から、デジタル放送を視聴できるか否かを判定する判定ステップと、を有し、
前記表示制御ステップは、前記判定ステップにおいて、デジタル放送を視聴できないと判定した放送局の番組セルの表示を、前記判定ステップが、デジタル放送を視聴できると判定した放送局の番組セルの表示と識別可能な態様とする制御を行うことを特徴としたテレビジョン放送受信装置における表示制御方法。
【請求項１５】
前記識別可能な態様とする制御は、受信可能と判定された放送局の番組セルのみを表示することを特徴とする請求項１３又は１４に記載の表示制御方法。
【請求項１６】
請求項１３から１５までのいずれか１項に記載の表示制御方法をコンピュータに実行させるためのプログラム。
【発明の詳細な説明】
【技術分野】
【０００１】
本発明は、テレビジョン放送受信装置（以下、「テレビ」とも称する。）などの放送受信装置に関し、特に、その画面表示技術に関する。
【背景技術】
【０００２】
近年、放送衛星や通信衛星、あるいは地上波を介してテレビジョン信号をデジタル化して伝送し、各家庭においてこれを受信する放送受信システムが普及してきている。この放送受信システムにおいては、膨大なチャンネル数を受信することが可能になるため、きわめて多数の番組を受信することができる。さらには、この放送受信システムを、携帯電話などの移動体端末にまで広げることにより、どこにいても放送を受信し、利用することができるようになってきている。
【０００３】
このような放送受信システムにおいては、多数の番組の中から所望の番組を選択することができるようにするため、番組の放送予定時間や番組内容等の各種番組情報に基づいて作成される電子番組表（ＥＰＧ）情報を放送局から送信し、テレビジョン装置等の受信側においてこれを受信してＥＰＧ画面として表示する。そして、ユーザーは、このＥＰＧ画面上で所望の番組を選択できるようになっている。また、下記特許文献１のように、ＥＰＧ画面表示時に同時に映像を表示することにより、ユーザーが任意に選局した番組映像を表示させながら、他の各チャンネルで放送中の裏番組についての番組情報を順次表示していくことができ、ユーザーに対して効率よく番組探索及び番組視聴を行わせることができる。
【先行技術文献】
【特許文献】
【０００４】
【特許文献１】特開２００５−９４３５５号公報
【発明の開示】
【発明が解決しようとする課題】
【０００５】
上記特許文献１に記載の技術は、デジタル放送受信機では、設定が済めばデジタル放送を受信することができるため、ＥＰＧ情報を表示する場合、ＥＰＧ情報を蓄積し、その上で番組探索を行うことが可能である。
【０００６】
しかしながら、一度取得し記憶しておいたＥＰＧを表示する場合、受信する場所や降雨減衰などの要因によって、安定して電波を受信することができなくなると、表示された番組情報を選択しても、電波強度が低いため、番組情報が表示されていてもデジタル放送を視聴できるとは限らない。特に、この現象は、移動体端末において顕著である。
【０００７】
本発明は、上記課題に基づいて創案されたものであり、電波の受信状況によって、視聴することのできない番組は選択肢から外し、現在視聴できる番組のみユーザーに知らせる放送受信装置及び放送受信システムを提供することを目的とする。
【課題を解決するための手段】
【０００８】
本発明の一観点によれば、デジタル放送の受信強度を測定する受信強度測定部と、前記受信強度測定部で測定した結果から、デジタル放送を視聴できるか否かを判定する判定部と、前記判定部が、デジタル放送を視聴できないと判定した放送局の番組の表示を、前記判定部が、デジタル放送を視聴できると判定した放送局の番組の表示と識別可能な態様とする制御を行う表示制御部と、を有することを特徴としたテレビジョン放送受信装置が提供される。また、時間軸と放送局軸とを有し、前記時間軸と放送局軸とによって画定される番組セルに番組情報を表示させたＥＰＧの表示制御を行う表示制御部と、デジタル放送の受信強度を測定する受信強度測定部と、前記受信強度測定部で測定した結果から、デジタル放送を視聴できるか否かを判定する判定部と、を有し、前記表示制御部は、前記判定部が、デジタル放送を視聴できないと判定した放送局の番組セルの表示を、前記判定部が、デジタル放送を視聴できると判定した放送局の番組セルと識別可能な態様とする制御を行うことを特徴としたテレビジョン放送受信装置が提供される。
【０００９】
前記識別可能な態様とする制御は、受信可能と判定された放送局の番組セルのみを表示することが好ましい。前記表示制御部は、前記判定部が、デジタル放送を視聴できないと判定した場合に、該当する放送局の番組情報を表示しない制御を行うことが好ましい。
【００１０】
前記表示制御部は、前記判定部が、デジタル放送を視聴できないと判定した場合に、該当する放送局の番組情報を表示した上で、視聴できないことを明示する表示を行うことが好ましい。前記視聴できないことを明示する表示を、前記放送局の番組情報を表示の上から表示させることが好ましい。前記番組情報を表示させつつ、前記視聴できない放送局の番組セル内の全領域を視覚的に認識可能な態様で塗りつぶすようにしても良い。前記視覚的に認識可能な態様で塗りつぶす表示は、グレーアウト表示であっても良い。また、前記表示制御部は、前記視聴できない放送局の番組が選択された場合に、前記ＥＰＧ上にその旨を表すコメント表示を行っても良い。
【００１１】
前記判定部が、視聴できると判定した放送局名のみを並べて前記ＥＰＧ画面に表示するようにしても良い。前記判定部が、視聴できないと判定した放送局名のみを並べて前記ＥＰＧ画面に表示することでも良い。
【００１２】
本発明は、上記のいずれか１に記載のテレビジョン放送受信装置を備えた移動端末であっても良い。
【００１３】
本発明の他の観点によれば、デジタル放送の受信強度を測定する受信強度測定ステップと、前記受信強度測定ステップで測定した結果から、デジタル放送を視聴できるか否かを判定する判定ステップと、前記判定ステップにおいてデジタル放送を視聴できないと判定された放送局の番組の表示を、前記判定ステップにおいてデジタル放送を視聴できると判定した放送局の番組の表示と識別可能な態様とする制御を行う表示制御ステップと、を有することを特徴とするテレビジョン放送受信装置の表示制御方法が提供される。また、時間軸と放送局軸とを有し、前記時間軸と放送局軸とによって画定される番組セルに番組情報を表示させたＥＰＧの表示制御を行う表示制御方法であって、デジタル放送の受信強度を測定する受信強度測定ステップと、前記受信強度測定ステップで測定した結果から、デジタル放送を視聴できるか否かを判定する判定ステップと、を有するし、前記表示制御ステップは、前記判定ステップにおいて、デジタル放送を視聴できないと判定した放送局の番組セルの表示を、前記判定ステップが、デジタル放送を視聴できると判定した放送局の番組セルの表示と識別可能な態様とする制御を行うことを特徴としたテレビジョン放送受信装置における表示制御方法が提供される。また、本発明は、上記に記載の表示制御方法をコンピュータに実行させるためのプログラムであっても良く、該プログラムをコンピュータに実行させるためのコンピュータ読みとり可能な記録媒体であっても良い。該プログラムは、インターネットなどの伝送媒体によって取得できるものでも良い。
【発明の効果】
【００１４】
本発明によれば、電波の受信状況によって、視聴することのできない番組は選択肢から外し、現在視聴できる番組のみユーザーに知らせるテレビジョン放送受信システムを提供することができる。
【図面の簡単な説明】
【００１５】
【図１】本発明の一実施の形態によるテレビジョン放送受信システムの一構成例を示す機能ブロック図である。
【図２Ａ】図１に示す受信可能判定部における判定処理の流れを示すフローチャートである。
【図２Ｂ】図１に示す受信可能判定部における判定処理の流れを示すフローチャート図であり、図２Ａに続く図である。
【図３】テレビ放送受信システムにおける初期設定処理の流れを示すフローチャート図である。
【図４】テレビ放送受信システムにおける契約の有無に関する処理の流れを示すフローチャート図である。
【図５】テレビ放送受信システムにおける画面表示のグレーアウトをした表示例を示す図である。
【図６】テレビ放送受信システムにおける画面表示のコメントを表示した例を示す図である。
【図７】テレビ放送受信システムにおける画面表示で印をつけた例を示す図である。
【図８】テレビ放送受信システムにおける画面表示で、放送局を表示しない例を示す図である。
【図９】テレビ放送受信システムにおける画面表示で、番組情報を表示しないようにした例を示すものである。
【図１０】移動端末におけるテレビジョン放送受信システムの一構成例を示す機能ブロック図である。
【図１１Ａ】図１０に示す受信可能判定部における判定処理の流れを示すフローチャートである。
【図１１Ｂ】図１０に示す受信可能判定部における判定処理の流れを示すフローチャート図であり、図１Ａに続く図である。
【図１２】移動端末における画面表示のグレーアウトをした表示例を示す図である。
【図１３】移動端末における画面表示のコメントを表示した例を示す図である。
【図１４】移動端末における画面表示で印をつけた例を示す図である。
【図１５】移動端末における画面表示で、放送局を表示しない例を示す図である。
【図１６】移動端末における画面表示で番組情報を表示しないようにした例を示す図である。
【発明を実施するための形態】
【００１６】
以下、本発明の各実施の形態によるデジタル放送受信装置について、図面を参照しながら説明を行う。尚、本明細書において、受信状態を示す指標を受信強度により表現しているが、ＢＥＲ、電力強度などにより表現しても良い。また、第１の実施の形態では、据え置き型のテレビを例にして説明しているが、移動体端末で実施してもよい。また、受信強度の測定は、地上デジタル放送とＢＳ／ＣＳに限定されるものではなく、受信可能な放送の数だけルーチンを増やしてよい。
【００１７】
（第１の実施の形態）
以下、本発明の第１の実施の形態によるデジタル放送受信装置について説明する。図１は、本実施の形態によるテレビジョン放送受信システムの一構成例を示す機能ブロック図である。図１において、符号１０１はテレビであり、１０２はリモコン装置などの操作部であり、１０３はテレビジョン放送の電波を受信するための地上デジタルアンテナであり、１０４はＢＳ／ＣＳの衛星放送を受信するためのＢＳ／ＣＳアンテナであり、１０５は地上デジタルアンテナ１０３や、ＢＳ／ＣＳアンテナ１０４で受信した放送波信号をテレビ１０１へと伝送するための同軸ケーブルである。また、１０６はチャンネルに合わせて周波数を調整するチューナーであり、１０７は現在受信しているチャンネル情報を記憶するチャンネル情報記憶部であり、１０８は地上デジタルアンテナ１０３や、ＢＳ／ＣＳアンテナ１０４で受信した放送波信号の受信強度を測定する受信強度測定部であり、１０９はチャンネル情報記憶部１０７に記憶しているチャンネル情報からチャンネル情報リストを作成するチャンネルリスト作成部であり、１１０はリモコン装置１０２で受け付けた操作からそれぞれに適切な制御を行う制御部である。また符号１１１は音声を出力する音声出力部であり、１１２は映像を表示する映像表示部であり、１１３は受信強度結果から視聴可能状態を判定する判定部であり、１１４は受信強度測定部１０８が測定した受信強度を記憶するログ記憶部であり、１１５はリモコン１０２が設定した地域設定を記憶する地域設定記憶部であり、１１６はリモコン１０２の操作を受け付けるＵＩであり、１１７は各放送局のＥＰＧ情報を記憶するＥＰＧ情報記憶部であり、１１８はメインメモリである。
【００１８】
ＥＰＧでは、時間軸と放送局軸とを有し、時間軸と放送局軸とによって画定される番組セルに番組情報を表示させている。この表示制御を行う表示制御部がＥＰＧの表示制御を行う。上記各構成の関係について説明する。
テレビ１０１は、一般家庭の住居内に据置されており、地上デジタル放送の電波を受信するためのアンテナ１０３と、ＢＳ／ＣＳの衛星放送を受信するためのＢＳ／ＣＳアンテナは家屋の屋根またはベランダに取り付け固定されており、テレビ１０１と同軸ケーブル１０５によって接続されている。尚、ここでは同軸ケーブルを例にして説明しているが、一般的には被覆電線を用いることができ、この被覆電線の中には、同軸ケーブルの他に、平行フィーダ等が含まれる。
【００１９】
さらに、放送チャンネルに合わせて周波数を調整するチューナー１０６と、現在受信しているチャンネルの名前やサービス番号などのチャンネル情報を記憶するチャンネル情報記憶部１０７と、地上デジタルアンテナ１０３、ＢＳ／ＣＳアンテナ１０４で受信した放送波信号の受信強度を測定する受信強度測定部１０８と、チャンネル情報記憶部と、チャンネル情報記憶部１０７に記憶しているチャンネル情報からチャンネル情報リストを作成するチャンネルリスト作成部１０９と、音声を出力する音声出力部１１１と、映像を表示する映像表示部１１２と、受信強度結果から視聴可能状態を判定する判定部１１３と、を有している。
【００２０】
さらに、受信強度測定部１０８が測定した受信強度を記憶するログ記憶部１１４と、リモコン装置１０２により設定された地域設定を記憶する地域設定記憶部１１５と、リモコン装置１０２からの操作を受け付けるＵＩ部１１６と、リモコン装置１０２で受け付けた操作からそれぞれに適切な制御を行う制御部（ＣＰＵ）１１０と、各チャンネルのＥＰＧ情報を記憶するＥＰＧ情報記憶部１１７と、メインメモリ（ＲＯＭ、ＲＡＭ、ＨＤＤなど、以下「メモリ」と称する。）１１８と、を備えている。尚、上記の機能の一部は、メモリ１１８に記憶されているプログラムを用いて制御部１１０により実行されるようにしても良いし、専用のハードウェアにより実行されるようにしても良い。
【００２１】
地域設定記憶部１１５は、ユーザー操作部から入力された地域設定、またはＧＰＳ等位置情報を提供する方法を用いて取得した地域設定を記憶する。また、放送波には地域情報が含まれているため、その地域情報を抽出する（地域情報抽出部として機能する。）。そして、地域設定記憶部１１５において記憶されている第１の地域情報と地域情報抽出部が抽出した第２の地域情報とが一致しているか否かを判定する（地域情報判定部として機能する。）。この地域情報判定部が判定した結果をディスプレイに表示させることができる。
【００２２】
図３は、テレビにおける初期設定処理の流れを示すフローチャート図である。この処理は、ステップＳ１において、例えば、テレビの電源を最初に入れた時、又は、別途設けられた初期設定処理開始のための操作を行った場合に開始される（ＳＷ  ｏｎ：Ｓｔａｒｔ）。実際には、操作を受けて、ステップＳ２において、初期設定処理が開始され、ステップＳ３において、地域情報が入力されると（ＹＥＳ）、ステップＳ４において、スキャンを実行するか否かを決定し、実行する場合には（ＹＥＳ）、ステップＳ５において、チューナーによる選局を行い、チャンネルサーチ処理が順次実行される。この処理によって得られる周波数−チャンネル情報の対応関係を取得し、ステップＳ７において、対応関係のデータをチャンネル情報記憶部に格納し、処理を終了する（ＥＮＤ：ステップＳ８）。これらの処理により、例えば以下の表１に示すような対応関係がチャンネル情報記憶部に記憶される。
【００２３】
【表１】
2011071725.tif 000003
【００２４】
表１では、放送チャンネルの名前と、放送地域（地域情報）と、サービス番号と、リモコン番号と、その際の地域設定とが記憶されている。このような情報が、放送チャンネル毎に、例えば、周波数の低い順番に取得されて記憶されている。
【００２５】
図４は、テレビにおける契約の有無に関する処理の流れを示すフローチャート図である。図４に示すように、まず、処理が開始されると（ステップＳ１１：ＳＴＡＲＴ）、ステップＳ１２において放送波から放送ストリームを復調する。次いで、ステップＳ１３において、例えばＣＡＳカードが保持する秘密鍵を用いて、暗号化された放送ストリームの復号を行う。また、ソフトウェア方式により、複号を行ってもよい。ステップＳ１４において、解読可能なストリームであるか否かを判定し、ＹＥＳの場合にはステップＳ１５において、ＥＰＧ情報を取得し、ディスプレイのＥＰＧ画面に、番組名の表示を行う。ＮＯの場合には、ディスプレイのＥＰＧ画面に、「この放送は契約していません」のメッセージ表示や、グレーアウト（ＥＰＧ画面上で、該当箇所放送局の色を変更する）をする、番組名などを表示しない、明示的に表示できないことを示す、コメントを表示する、などとすることができる。
【００２６】
図２Ａ、図２Ｂは、図１に示すテレビジョン放送受信システムにおける処理の流れを示すフローチャートである。
【００２７】
図２Ａにおいて、ステップＳ２０１において、ユーザーがメニューからＥＰＧ画面表示を選択することで処理がスタートする。ステップＳ２０２において、映像表示部がＥＰＧ画面を表示する。ステップＳ２０３において、制御部が映像表示部と音声出力部にミュートをかける。ステップＳ２０４において、制御部がチューナーをチャンネル情報記憶部が記憶しているチャンネルのうち、ユーザーが視聴していたチャンネルに周波数を合わせる。ステップＳ２０５において、制御部が地域設定記憶部に記憶してある地域設定を読み込む。ステップＳ２０６において、映像表示部が制御部から渡された現在の地域識別コードに対応した地域設定を画面に表示する。ステップＳ２０７において、制御部が読み込んだ地域設定記憶部に記憶してある地域識別コードと、制御部に渡された放送波の地域識別コードが一致しているかを判定する。
【００２８】
ステップＳ２０７でＮＯの場合には、ステップＳ２０８にすすみ、映像表示部が、地域設定が間違っていることをユーザーに知らせる警告文を表示する。ＹＥＳの場合には、ステップＳ２０９において、地上デジタル放送局の受信強度測定のループを開始する。次いで、ステップＳ２１０において、受信強度測定部が地上デジタルのチャンネル毎に受信強度を測定する。現在の測定した受信強度の数値を制御部に渡す。ステップＳ２１１で、メモリは制御部から渡された受信強度の数値を、チャンネル毎に記憶する。ステップＳ２１２において、判定部１１３が、測定した受信強度に応じて、デジタル放送視聴可能か否かを判定する。視聴不可能（ＮＯ）と判定されれば、ステップＳ２１３へ進み、視聴可能と判定すれば（ＹＥＳ）、ステップＳ２１４へと進む。ステップＳ２１３において、映像表示部１１２が、受信強度に応じた判定を、ＥＰＧ表示画面に反映する。視聴不可能と判定された放送局は表示しないか、または、グレーアウト、または表示できないことを明示的に示す、または、コメントを表示する。次いで、ステップＳ２１４で、全ての地上デジタル放送局の受信強度測定が終了していれば、ステップＳ２１５へと進み、終了していなければ、ステップＳ２０９へと戻る。ステップＳ２１５で、ＢＳ／ＣＳ放送局の受信強度測定を開始する。ステップＳ２１６で、受信強度測定部１０８がトラポン毎にＢＳ／ＣＳの受信強度を測定する。次いで、現在の測定した受信強度の数値を制御部１１０に渡す。
【００２９】
次に、ステップＳ２１７で、メモリ１１８は制御部１１０から渡された受信強度の数値をチャンネル毎に記憶する（例えば、テーブルとして記憶する）。ステップＳ２１８において、判定部１１３が、測定した受信強度に応じて、ＢＳ／ＣＳ放送が視聴可能か否かを判定する。視聴不可能と判定された場合には（ＮＯ）、ステップＳ２１９に進み、視聴可能と判定された場合には（ＹＥＳ）、ステップＳ２２０へと進む。ステップＳ２１９において、映像表示部１１２が、受信強度に応じた判定を、ＥＰＧ表示画面に反映する。視聴不可能と判定された放送局は表示しないか、または、グレーアウトする。ステップＳ２２０において、全てのＢＳ／ＣＳ放送局の受信強度測定が終了していれば、ステップＳ２２１へと進み、終了していなければステップＳ２１５へと戻る。
ステップＳ２２１で、全ての動作が終了する。
【００３０】
【表２】
2011071725.tif 000004
【００３１】
表２（ａ）は、受信強度測定時のログの一構成例を示す図である。チャンネルサーチや受信状況のスキャン処理時に記録されるログは、例えば表２（ａ）のような内容で構成される。表２（ａ）に示すように、ログは、スキャンを実施した日時と、スキャン時の地域設定と、放送チャンネル番号と受信強度との対応を放送チャンネル数分だけ取得してメモリに記憶したものである。受信強度は数値であっても良いが、表２（ｂ）に示すように、例えば視聴可能をＡ、視聴不可能をＢとしてランクにより示したものであっても良い。
【００３２】
また、異常時のログを抽出するようにしても良い。表２（ｂ）に示すように、放送チャンネル番号などと、時刻と、受信強度と、ランクと、を表示しているテーブルを作成し、異常時のログとして、状態がＢと判定された時のログのみを抽出し、記憶するようにしても良い。このようにすれば、表２（ａ）に示す技術の場合よりもメモリの占有量を削減することが可能である。
【００３３】
図５から図９までは、図２のステップＳ２１２において、放送局ＴＢＳの電波強度が視聴不可能であると判定された場合のテレビの画面表示の一例を示す図である。図５に示すように、テレビジョン受信装置１０１の映像表示部１１２には、電子番組表が表示されている。この電子番組表においては、横軸がチャネル軸、縦軸が時間軸となっている（これに限定されるものではない）。この電子番組表には、１、２、４、６、８、５ｃｈのチャネルと、１９時から２１時までの時間帯との番組表が表示されている。チャネル軸１５１と時間軸１５３とにより画定される領域（以下、「番組セル」と称する。）に、番組名などの番組情報が表示されている。ユーザーは、この番組表を見ながら、リモコン装置などの方向キーで所望の番組を選択し、決定キーを押すなどの操作をすることで、番組の視聴、視聴予約、録画予約などが可能であり便利である。
【００３４】
上記の判定により、放送局ＴＢＳの電波強度が視聴不可能であると判定されているため、その判定結果が、視聴不可能放送局として反映されている（ＴＢＳが表示から抜けている）。さらに、ユーザーにとってわかりやすいように、２ｃｈ１５５と異なり、６ｃｈ１６１のチャンネルは表示されている時間帯にわたって、ＴＢＳの番組欄をグレーアウトしたものである。表示の方法は、他のチャンネルと識別できるようにすれば良いので色を付しても良い。
【００３５】
図６は、図５と同様のＥＰＧ表示を行っている図であるが、ユーザーがカーソルを操作し、受信（視聴）不可能な番組を選択すると、「選択した放送局は、電波が弱いため視聴することができません。」等のコメント１７５を、例えば吹き出しのような形で表示させるようにしても良い。グレーアウトと併用させても良い。このようにコメント表示させることにより、ユーザーは、選択した番組を視聴できない理由を知ることができる。
【００３６】
図７では、視聴できない放送局の部分に、明示的に視聴できないことを示すため、マーク（印；ここでは、バツ印）１８３ａ〜ｃを付したものである。尚、ここではバツ印であるが、例えば斜線が引くなど、ユーザーに放送できないことを知らせるものでどのような形態のマークでも良い。マークは、カーソルがＴＢＳに移動した時のみ表示されるようにしても良い。また、時間が経過すれば受信状況が変化するため現在時間帯のみにマークを付しても良い。
【００３７】
図８では、視聴不可能と判定された放送局をＥＰＧで表示しないように表示制御したもの例を示す図である。すなわち、４ｃｈ１９１と８ｃｈ１９３との間に本来あるべき６ｃｈがなく、線１９５のみが表示されている。このようにすると、チャンネル軸方向により多くの視聴可能な放送局の番組を表示することができるという利点がある。尚、この場合には、線１９５を他の線よりも太くするなどして、６ｃｈの番組セルが表示されていないことを明示するようにとしても良い。
【００３８】
図９では、２０１で示すように、６ｃｈの番組セルは表示するが、２０１ａ〜ｃまでに示すように、番組情報を表示しないようにしたものである。
【００３９】
尚、図２に示す処理を継続していくことにより、視聴可能放送局（或いは、視聴できない放送局）の変化を検出することができるため、ＥＰＧ表示における視聴できない放送局の表示は、逐次変更するようにすれば良い。
【００４０】
また、上記の表示制御技術は、種々の組み合わせを用いても良い。フォーカスがあたった時に音声で知らせるようにしても良い。
【００４１】
以上に説明したように、本実施の形態による電子番組表の表示制御技術を用いると、視聴できない放送局をユーザーに通知することができるため、現在視聴できる番組のみユーザーに知らせる放送受信装置及び放送受信システムを提供することが可能である。
【００４２】
次に、本発明の携帯端末への応用例について説明する。図１０は、地上デジタル放送を視聴可能な携帯端末の一構成例を示す図である。
【００４３】
携帯端末３０１は、携帯可能な移動体端末であり、操作するボタン３０２と、地上デジタル放送の電波を受信するためのアンテナ３０３と、を有している。
【００４４】
さらに、放送チャンネルに合わせて周波数を調整するチューナー３０６と、現在受信しているチャンネルの名前やサービス番号などのチャンネル情報を記憶するチャンネル情報記憶部３０７と、地上デジタルアンテナ３０３で受信した放送波信号の受信強度を測定する受信強度測定部３０８と、チャンネル情報記憶部３０７と、チャンネル情報記憶部３０７に記憶しているチャンネル情報からチャンネル情報リストを作成するチャンネルリスト作成部３０９と、音声を出力する音声出力部３１１と、映像を表示する映像表示部３１２と、受信強度結果から視聴可能状態を判定する判定部３１３と、を有している。
【００４５】
さらに、受信強度測定部３０８が測定した受信強度を記憶するログ記憶部３１４と、設定された地域設定を記憶する地域設定記憶部３１５と、操作を受け付けるＵＩ部３１６と、それぞれに適切な制御を行う制御部(CPU)３１０と、映像を表示する映像表示部３０７と、メインメモリ（ＲＯＭ、ＲＡＭ、ＨＤＤなど、以下「メモリ」と称する。）３１８と、を備えている。尚、上記の機能の一部は、メモリ３１８に記憶されているプログラムを用いて制御部３１０により実行されるようにしても良いし、専用のハードウェアにより実行されるようにしても良い。
【００４６】
地域設定記憶部３１５は、ボタン部３０２から入力された地域設定、またはＧＰＳ等位置情報を提供する方法を用いて取得した地域設定を記憶する。また、放送波には地域情報が含まれているため、その地域情報を抽出する（地域情報抽出部として機能する。）。そして、地域設定記憶部３１５において記憶されている第１の地域情報と地域情報抽出部が抽出した第２の地域情報とが一致しているか否かを判定する（地域情報判定部として機能する。）。この地域情報判定部が判定した結果を映像表示部（ディスプレイ）３１７に表示させることができる。
【００４７】
図１１Ａ、図１１Ｂは、図２Ａ、Ｂに対応する処理の流れを示す図であり、地上デジタル放送（ワンセグなど）のみを視聴する点をのぞき、同様の処理が行われるので、詳細な説明は省略する。いずれにしても、移動端末においても、放送局毎に受信感度を測定した結果を電子番組表の表示に反映させる点で共通している。
【００４８】
さらに、図１２から図１６までは、それぞれ、図５から図９までに対応した図であり、テレビの代わりに移動端末を用いた場合の表示の一例を示した図である。図１２は、移動端末３０１の映像表示部に電子番組表３１２を表示させている。ここで、視聴可能放送局の一覧表示３２７と、地域設定表示領域３２３と、ＮＨＫ総合３２５、日本テレビ３３５と、ＴＢＳ３４５ａなどの表示領域と、それぞれの番組情報の表示領域３４５と、が設けられ、スクロール用のバー３３７とスクロールボタン３４１と、が表示されている。ここでは、視聴ができない放送局であるＴＢＳの領域３４５ａがグレーアウトされている。図１３では、視聴ができない放送局であるＴＢＳの領域３４５ａの番組セルの強調表示がされるとともに、コーション表示３６１がなされている。図１４では、×印で明示的に視聴できない放送局を示している。図１５では、視聴できたいＴＢＳの番組セルを表示せず、単に境界線３７５のみが表示されている（これを少し太くしても良い）。
【００４９】
図１６は、ＴＢＳの番組セル３３５に番組情報が表示されていない例である。受信不可の時から受信可能になると、番組情報が表示されるが、そのときにある時間点滅などするようにして表示させることでユーザーに注意を促すようにしても良い。特に、移動端末では、放送可能・放送不可が移動につれて変化しやすいため、上記のような表示制御がきわめて重要である。
【００５０】
尚、図１２から図１６までは、を視聴することが可能な携帯端末を例にして示しているが、カーナビゲーション装置、電子辞書、ＰＤＡ等であってもよい。また、電子番組表（ＥＰＧ）を例にして説明したが、番組別の視聴に関連するリスト表示など、ＥＰＧ以外の番組に関する種々の表示制御に適用可能であることは言うまでもない。
【００５１】
本実施の形態によれば、電波の受信状況によって、視聴することのできない番組は選択肢から外し、現在視聴できる番組のみユーザーに知らせる放送受信装置及び放送受信システムを提供することができる。
【００５２】
本発明による装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【００５３】
また、図１等の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００５４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の実施形態を、図面を参照して詳述してきたが、具体的な構成はこの実施の形態に限られるものではなく、この発明の要旨を逸脱しない範囲の設計変更等された発明も含まれる。
【産業上の利用可能性】
【００５６】
本発明は、デジタルテレビジョン受信装置に利用可能である。
【符号の説明】
【００５７】
１０１：  テレビ、
１０２：  操作部、
１０３：  地上デジタルアンテナ、
１０４：  BS/CSアンテナ
１０５：  同軸ケーブル、
１０６：  チューナー、
１０７：  チャンネル情報記憶部、
１０８：  受信強度測定部、
１０９：  チャンネルリスト作成部、
１１０：  制御部、
１１１：  音声出力部、
１１２：  映像表示部、
１１３：  判定部、
１１４：  ログ記憶部、
１１５：  地域設定記憶部、
１１６：  ＵＩ
１１７：  ＥＰＧ情報記憶部、
１１８：  メインメモリ
【図１】
2011071725.tif 000005
【図２Ａ】
2011071725.tif 000006
【図２Ｂ】
2011071725.tif 000007
【図３】
2011071725.tif 000008
【図４】
2011071725.tif 000009
【図５】
2011071725.tif 000010
【図６】
2011071725.tif 000011
【図７】
2011071725.tif 000012
【図８】
2011071725.tif 000013
【図９】
2011071725.tif 000014
【図１０】
2011071725.tif 000015
【図１１Ａ】
2011071725.tif 000016
【図１１Ｂ】
2011071725.tif 000017
【図１２】
2011071725.tif 000018
【図１３】
2011071725.tif 000019
【図１４】
2011071725.tif 000020
【図１５】
2011071725.tif 000021
【図１６】
2011071725.tif 000022